(57)【要約】【課題】簡単な操作で利用者が確実に歌え、しかも関連性のある楽曲を連続してカラオケ装置に演奏予約するためのカラオケ選曲システムを提供する。【解決手段】ユーザインタフェース手段と、楽曲索引データベースと、個人別曲目リストの保存手段と、個人別曲目リストを表示して選曲を促す手段と、待ち行列に従ってカラオケ伴奏音楽を順番に演奏する手段と、待ち行列中の楽曲について関連楽曲検索メニューを利用者に提示する手段と、ある楽曲Ａについて関連楽曲検索メニュー中の項目が利用者により特定されると、当該項目について楽曲Ａと同じ属性分類に属する関連楽曲を楽曲索引データベースから検索する手段と、関連楽曲中で個人別曲目リストに一致する関連持ち歌楽曲を抽出する手段と、関連楽曲と関連持ち歌楽曲とを区別して利用者に提示する手段と、提示された楽曲から利用者が指定した楽曲を待ち行列中の楽曲Ａのつぎに登録する手段とを備えている。【選択図】      図１
2004233723.tif 000002
【特許請求の範囲】
【請求項１】
利用者の操作入力を受け付けるとともに、利用者に各種情報を提示出力するユーザインタフェース手段と、
カラオケ楽曲の各種の属性情報を集約した楽曲索引データベースと、
個人別曲目リストを不揮発性メモリに保存する個人別曲目リスト記憶手段と、
利用者入力に応じて個人別曲目リストを表示して選曲を促す個人別曲目リスト提示手段と、
演奏処理の待ち行列に従ってカラオケ楽曲の伴奏音楽を順番に演奏するカラオケ演奏手段と、
待ち行列に登録された楽曲について関連楽曲検索メニューを利用者に提示する関連楽曲検索案内手段と、
関連楽曲検索案内手段による案内に従ってある楽曲Ａについて関連楽曲検索メニュー中の項目を特定した実行コマンドが利用者から与えられたとき、関連楽曲検索メニュー中の特定された項目について楽曲Ａと同じ属性分類に属する他の楽曲を楽曲索引データベースから検索する関連楽曲検索手段と、
関連楽曲検索手段により検索された関連楽曲中で個人別曲目リストに一致する関連持ち歌楽曲を抽出する関連持ち歌楽曲抽出手段と、
関連楽曲と関連持ち歌楽曲とを識別可能にして利用者に提示する関連楽曲識別提示手段と、
関連楽曲識別提示手段により提示された楽曲から利用者が指定した楽曲を待ち行列中の楽曲Ａのつぎに登録する関連楽曲予約手段と、
を備えたことを特徴とするカラオケ選曲システム。
【請求項２】
請求項１において、前記個人別曲目リスト記憶手段は、複数の利用者についての個人別曲目リストを記憶し、前記個人別曲目リスト提示手段は、利用者を特定した上で当該利用者についての個人別曲目リストを提示し、前記関連持ち歌楽曲抽出手段は、利用者を特定した上で当該利用者についての個人別曲目リストに基づいて前記関連持ち歌楽曲を抽出することを特徴とするカラオケ選曲システム。
【請求項３】
請求項１または２に記載のカラオケ選曲システムであって、互いに通信するカラオケリモコン装置とカラオケ装置により構成され、
カラオケリモコン装置は、前記ユーザインタフェース手段と、前記個人別曲目リスト記憶手段と、前記個人別曲目リスト提示手段と、前記関連楽曲検索メニューの送付依頼をカラオケ装置に送達する手段と、前記関連楽曲検索案内手段と、当該関連楽曲検索案内手段による案内に従ってある楽曲Ａについて関連楽曲検索メニュー中の項目を特定した実行コマンドを利用者入力により受け付けると、当該特定された項目についての情報をカラオケ装置に送達する手段と、前記関連持ち歌楽曲抽出手段と、前記関連楽曲識別提示手段と、前記関連楽曲識別提示手段により提示された楽曲から利用者が指定した楽曲を待ち行列中の楽曲Ａのつぎに登録するための無線信号を発信するための予約信号発信手段とを備え、
カラオケ装置は、前記楽曲索引データベースと、前記カラオケ演奏手段と、前記関連楽曲検索メニューの送付依頼を受け付けて当該メニューの生成起源となる情報をカラオケリモコン装置に送達する手段と、前記関連楽曲検索手段と、前記関連楽曲をカラオケリモコン装置に通知する手段と、前記関連楽曲予約手段とを備えたことを特徴とするカラオケ選曲システム。
【請求項４】
請求項１または２に記載のカラオケ選曲システムであって、互いに通信するカラオケリモコン装置とカラオケ装置により構成され、
カラオケリモコン装置は、前記ユーザインタフェース手段と、前記個人別曲目リスト記憶手段と、前記個人別曲目リスト提示手段と、前記関連楽曲検索メニューの送付依頼をカラオケ装置に送達する手段と、前記関連楽曲検索案内手段と、当該関連楽曲検索案内手段による案内に従ってある楽曲Ａについて関連楽曲検索メニュー中の項目を特定した実行コマンドを利用者入力により受け付けると、当該特定された項目についての情報をカラオケ装置に送達する手段と、前記関連楽曲識別提示手段と、前記関連楽曲識別提示手段により提示された楽曲から利用者が指定した楽曲を待ち行列中の楽曲Ａのつぎに登録するための無線信号を発信するための予約信号発信手段とを備え、
カラオケ装置は、前記楽曲索引データベースと、前記カラオケ演奏手段と、前記関連楽曲検索メニューの送付依頼を受け付けて当該メニューの生成起源となる情報をカラオケリモコン装置に送達する手段と、前記関連楽曲検索手段と、前記関連持ち歌楽曲抽出手段と、前記関連楽曲と関連持ち歌楽曲とをカラオケリモコン装置に通知する手段と、前記関連楽曲予約手段とを備えたことを特徴とするカラオケ選曲システム。
【請求項５】
請求項１または２に記載のカラオケ選曲システムであって、カラオケリモコン装置とカラオケ装置により構成され、
カラオケリモコン装置は、前記ユーザインタフェース手段と、前記個人別曲目リスト記憶手段と、前記楽曲索引データベースと、前記個人別曲目リスト提示手段と、前記関連楽曲検索案内手段と、前記関連楽曲検索手段と、前記関連持ち歌楽曲抽出手段と、前記関連楽曲識別提示手段と、前記関連楽曲識別提示手段により提示された楽曲から利用者が指定した楽曲を待ち行列中の楽曲Ａのつぎに登録するための無線信号を発信するための予約信号発信手段とを備え、
カラオケ装置は、前記カラオケ演奏手段と、前記関連楽曲予約手段とを備えたことを特徴とするカラオケ選曲システム。
【請求項６】
請求項３または４に記載のカラオケ選曲システムであって、前記カラオケ装置は、前記カラオケ演奏手段と前記関連楽曲予約手段を備えた本体部と、当該本体部が備える手段以外の各手段と前記カラオケリモコン装置からの前記無線信号を受け付けて前記カラオケ装置に転送する手段とを備えた選曲仲介装置とによって構成されていることを特徴とするカラオケ選曲システム。
【請求項７】
請求項３〜５のいずれかに記載のカラオケ選曲システムを構成する前記カラオケリモコン装置。
【請求項８】
請求項３〜５に記載のカラオケ選曲システムを構成する前記カラオケ装置。
【請求項９】
請求項６に記載のカラオケ選曲システムを構成する前記選曲仲介装置。
【発明の詳細な説明】
【０００１】
【発明の属する技術分野】
この発明は、予約した楽曲に続けて、その楽曲と属性の似た関連楽曲の予約を促すようにしたカラオケ選曲システムに関する。
【０００２】
【従来の技術】
カラオケの場で、利用者が演奏中の楽曲に何らかの関連性がある楽曲を選曲することがある。例えば、同じアーティストの楽曲、季節に関連する楽曲、同じ年代に発表された楽曲などである。このように関連する楽曲を選曲すれば、関連する楽曲のリクエストが連鎖し、自ずとカラオケの場が盛り上がる。
【０００３】
このように関連する楽曲を選曲するのに適したカラオケ選曲リモコン装置が下記の非特許文献１に記載されている。このリモコン装置は、電子目次本と呼ばれ、カラオケ装置にて演奏に供されるカラオケ楽曲についての属性情報（曲名、アーティスト名、ジャンル、発表年など）を集約したデータベースを備え、利用者により歌手名や曲名の頭文字、楽曲のジャンルなどの属性情報の断片が入力されたならば、その断片をデータベースに照会して該当する楽曲を提示する。該当楽曲が複数存在する場合には、その複数の楽曲を提示する。そして、特定の１曲が利用者により指示されたならば、その楽曲をカラオケ装置に演奏予約させるためのリモコン信号を送信する。この電子目次本を使えば、演奏中の楽曲と同じ属性情報をクエリーとしてデータベースに照会することで、関連性のある楽曲が提示され、その楽曲をカラオケ装置に演奏予約させることができる。
【０００４】
【非特許文献１】
株式会社第一興商、”報道資料０２０１０９  新商品発売のお知らせ
（カラオケリクエストコマンダー”デンモク”）”、［ｏｎｌｉｎｅ］、
［平成１４年１２月２５日検索］、インターネット
＜ＵＲＬ：ｈｔｔｐ：／／ｗｗｗ．ｄｋｋａｒａｏｋｅ．ｃｏ．ｊｐ／ｐｒｅｓｓ／０２０１０９．ｈｔｍｌ＞
【０００５】
【発明が解決しようとする課題】
しかしながら、関連する属性情報を付帯する楽曲を次々とリクエストしていこうとして、演奏中の楽曲に関連する楽曲を演奏予約したとしても、演奏中の次の楽曲がすでに予約されていれば、演奏中の楽曲と次の楽曲とで関連性がとぎれ、せっかく関連性を考慮して選曲した楽曲演奏が無駄になる。また、演奏中の楽曲に関連する楽曲を予約しようと思えば、その属性情報を利用者自身が把握している必要がある。とくに年代などの属性情報は、アーティストやジャンルなどの属性情報とは異なり、予約しようとしている楽曲の属性情報を確実に把握することは難しい。さらに、楽曲の属性情報を把握していたとしても、同じ属性情報を付帯する楽曲中で利用者が歌える楽曲は限られている。
【０００６】
そこで本発明は、簡単な操作で関連性のある利用者が歌える楽曲を連続して演奏予約するためのカラオケ選曲システムを提供することを目的としている。
【０００７】
【課題を解決するための手段】
上記目的を達成するための本発明は、利用者の操作入力を受け付けるとともに、利用者に各種情報を提示出力するユーザインタフェース手段と、カラオケ楽曲の各種の属性情報を集約した楽曲索引データベースと、個人別曲目リストを不揮発性メモリに保存する個人別曲目リスト記憶手段と、利用者入力に応じて個人別曲目リストを表示して選曲を促す個人別曲目リスト提示手段と、演奏処理の待ち行列に従ってカラオケ楽曲の伴奏音楽を順番に演奏するカラオケ演奏手段と、待ち行列に登録された楽曲について関連楽曲検索メニューを利用者に提示する関連楽曲検索案内手段と、関連楽曲検索案内手段による案内に従ってある楽曲Ａについて関連楽曲検索メニュー中の項目を特定した実行コマンドが利用者から与えられたとき、関連楽曲検索メニュー中の特定された項目について楽曲Ａと同じ属性分類に属する他の楽曲を楽曲索引データベースから検索する関連楽曲検索手段と、関連楽曲検索手段により検索された関連楽曲中で個人別曲目リストに一致する関連持ち歌楽曲を抽出する関連持ち歌楽曲抽出手段と、関連楽曲と関連持ち歌楽曲とを識別可能にして利用者に提示する関連楽曲識別提示手段と、関連楽曲識別提示手段により提示された楽曲から利用者が指定した楽曲を待ち行列中の楽曲Ａのつぎに登録する関連楽曲予約手段とを備えたカラオケ選曲システムである。
【０００８】
また、前記個人別曲目リスト記憶手段は、複数の利用者についての個人別曲目リストを記憶し、前記個人別曲目リスト提示手段は、利用者を特定した上で当該利用者についての個人別曲目リストを提示し、前記関連持ち歌楽曲抽出手段は、利用者を特定した上で当該利用者についての個人別曲目リストに基づいて前記関連持ち歌楽曲を抽出するカラオケ選曲システムとすることもできる。
【０００９】
上記記載の各カラオケ選曲システムであって、互いに通信するカラオケリモコン装置とカラオケ装置により構成され、カラオケリモコン装置は、前記ユーザインタフェース手段と、前記個人別曲目リスト記憶手段と、前記個人別曲目リスト提示手段と、前記関連楽曲検索メニューの送付依頼をカラオケ装置に送達する手段と、前記関連楽曲検索案内手段と、当該関連楽曲検索案内手段による案内に従ってある楽曲Ａについて関連楽曲検索メニュー中の項目を特定した実行コマンドを利用者入力により受け付けると、当該特定された項目についての情報をカラオケ装置に送達する手段と、前記関連持ち歌楽曲抽出手段と、前記関連楽曲識別提示手段と、前記関連楽曲識別提示手段により提示された楽曲から利用者が指定した楽曲を待ち行列中の楽曲Ａのつぎに登録するための無線信号を発信するための予約信号発信手段とを備え、カラオケ装置は、前記楽曲索引データベースと、前記カラオケ演奏手段と、前記カラオケリモコン装置からの関連楽曲検索メニューの送付依頼を受け付けて当該メニューの生成起源となる情報を前記カラオケリモコン装置に送達する手段と、前記関連楽曲検索手段と、前記関連楽曲を前記カラオケリモコン装置に通知する手段と、前記関連楽曲予約手段とを備えるようにこうせいしてもよい。
【００１０】
あるいは、カラオケリモコン装置は、前記ユーザインタフェース手段と、前記個人別曲目リスト記憶手段と、前記個人別曲目リスト提示手段と、前記関連楽曲検索メニューの送付依頼をカラオケ装置に送達する手段と、前記関連楽曲検索案内手段と、当該関連楽曲検索案内手段による案内に従ってある楽曲Ａについて関連楽曲検索メニュー中の項目を特定した実行コマンドを利用者入力により受け付けると、当該特定された項目についての情報をカラオケ装置に送達する手段と、前記関連楽曲識別提示手段と、前記関連楽曲識別提示手段により提示された楽曲から利用者が指定した楽曲を待ち行列中の楽曲Ａのつぎに登録するための無線信号を発信するための予約信号発信手段とを備え、前記カラオケ装置は、前記楽曲索引データベースと、前記カラオケ演奏手段と、前記カラオケリモコン装置からの関連楽曲検索メニューの送付依頼を受け付けて当該メニューの生成起源となる情報を前記カラオケリモコン装置に送達する手段と、前記関連楽曲検索手段と、前記関連持ち歌楽曲抽出手段と、前記関連楽曲と関連持ち歌楽曲とを前記カラオケリモコン装置に通知する手段と、前記関連楽曲予約手段とを備えるように構成することもできる。
【００１１】
カラオケリモコン装置は、前記ユーザインタフェース手段と、前記個人別曲目リスト記憶手段と、前記楽曲索引データベースと、前記個人別曲目リスト提示手段と、前記関連楽曲検索案内手段と、前記関連楽曲検索手段と、前記関連持ち歌楽曲抽出手段と、前記関連楽曲識別提示手段と、前記関連楽曲識別提示手段により提示された楽曲から利用者が指定した楽曲を待ち行列中の楽曲Ａのつぎに登録するための無線信号を発信するための予約信号発信手段とを備え、前記カラオケ装置は、前記カラオケ演奏手段と、前記関連楽曲予約手段とを備えた構成も可能である。
【００１２】
カラオケリモコン装置とカラオケ装置とによって構成されるカラオケ選曲システムでは、カラオケ装置が、前記カラオケ演奏手段と前記関連楽曲予約手段を備えた本体部と、この本体部が備える前記手段以外の各手段と前記カラオケリモコン装置からの前記無線予約信号を受け付けてカラオケ装置に転送する手段とを備えた選曲仲介装置とによって構成されていてもよい。
【００１３】
なお本発明は、カラオケ選曲システムを構成する前記カラオケリモコン装置、前記カラオケ装置、前記選曲仲介装置にも及んでいる。
【００１４】
【発明の実施の形態】
＝＝＝カラオケ選曲システムの構成＝＝＝
図１に、本発明の実施例に係るカラオケ選曲システム（以下、選曲システム）の装置構成を示した。ブラウザとＪＡＶＡ（登録商標）実行環境を実装するとともに、ＩｒＤＡやブルートゥース（登録商標）規格の短距離無線通信インタフェースを備えた携帯電話機（多機能電話機）２０と、カラオケ装置１とによって構成されている。
【００１５】
多機能電話機２０には、カラオケ装置１用のリモコン装置として機能するための専用のＪＡＶＡプログラム（カラオケ連携プログラム）がインストールされている。多機能電話機２０は、このプログラムを実行することにより、カラオケ装置１に入力されてリクエスト曲を演奏予約するための楽曲番号をその曲目情報（曲名、アーティスト名）とともに所定のＷｅｂサイト４０からダウンロードして不揮発性メモリに登録する。そして、利用者入力に応じてその登録楽曲のリスト（個人別曲目リスト）を表示して選曲を促し、特定の１曲が選曲されたならばその楽曲の楽曲番号を含んだ演奏予約コマンドを短距離無線通信インタフェースによりカラオケ装置１に送信する。
【００１６】
＝＝＝カラオケ装置の構成と動作＝＝＝
図２にカラオケ装置１の機能ブロック図を示した。このカラオケ装置１は、周知の通信カラオケシステムの演奏端末であり、ハードウエア構成や基本的な動作も従来の演奏端末と同様である。すなわち、内部にＣＰＵ・ＲＡＭ・ＲＯＭを含む中央制御部２は、ハードディスク装置３に格納された多数のカラオケ楽曲についてのカラオケデータに楽曲番号を対応付けして楽曲データベースとして管理している。
【００１７】
カラオケデータは伴奏音楽の生成起源となるＭＩＤＩ形式で記述された音楽生成データと、伴奏音楽に同期して表示出力される歌詞画像について歌詞の文字列・表示シーケンス・表示タイミングなどを記述した歌詞描出データとを含んでいる。また、歌詞画像の背景映像となる長時間分の映像データと、背景映像の表示シーケンスを指定した映像台本データもハードディスク装置３に格納されている。映像台本データは、楽曲番号に対応付けされ、該当のカラオケ楽曲の演奏時に、いつ・どのデータ記録位置から・どれだけの時間分の映像を復号するのかを指定したデータであり、この映像台本データも楽曲データベースによって管理されている。
【００１８】
なお中央制御部２は、通信制御部１５を介して適時に公衆電話網に接続してカラオケ事業者が管理するホスト装置３０とデータ通信し、新譜のカラオケデータや映像台本データをダウンロードして楽曲データベースを随時更新している。また、カラオケ装置１自体の稼働状況（演奏楽曲・演奏回数など）を稼働ログとしてハードディスク装置３に記録・管理しており、その稼働ログをホスト装置３０にアップロードする処理も行っている。
【００１９】
中央制御部２は、リモコン送信器５やカラオケ装置１本体に配設されている操作パネル６に利用者入力された楽曲番号を操作制御部７を介して受け取ったり、多機能電話機２０からの楽曲番号を含んだ演奏予約コマンドを短距離無線通信インタフェース（ＩＦ）１６を介して受け取たりすると、その楽曲番号を内部のＲＡＭに格納して演奏処理の待ち行列に登録する。中央制御部２はこの待ち行列にある楽曲番号を順次ピックアップし、ピックアップした楽曲番号のカラオケデータをハードディスク装置３より取り出す。そして、音楽生成データをシンセサイザ８に転送し伴奏音楽の音声信号を生成させる。伴奏音楽の音声信号はマイクロホン１１からの歌唱音声信号とともにミキシングアンプ９に入力され、ここで増幅・混合された音声信号がスピーカ１０より音響出力される。
【００２０】
また、歌詞描出データを処理して歌詞文字列を表示／消去しながら、表示中の歌詞文字列の各文字が色変わりしていく歌詞画像を順次ビデオＲＡＭ１２にビットマップ展開していくとともに、映像台本データに従って適宜な映像データを適時に映像制御部１３に転送する。映像制御部１３は、映像データを背景映像の映像信号に復号するとともに、ビデオＲＡＭ１２にビットマップ展開される歌詞画像を背景映像にスーパーインポーズしてディスプレイ１４に表示出力する。
【００２１】
またカラオケ装置１のハードディスク装置３には楽曲番号毎に曲名、歌手名、発表年、楽曲タイプ、歌詞対象、歌詞感情などの項目ごとに属性情報を分類分けした楽曲索引情報が格納され、中央制御部２１は、この情報を楽曲索引データベースとして管理している。なお、楽曲タイプ、歌詞対象、歌詞感情は、それぞれ楽曲のテンポ（アップテンポ、ノーマルテンポ、スローテンポなど）、歌詞の主題（恋愛、友達、卒業、仕事、季節、社会など）、歌詞に込められた喜怒哀楽に関する属性情報である。中央制御部２は、通信インタフェース１５を介してホスト装置と通信し、新規のカラオケ楽曲についての索引情報を取り込んでハードディスク装置３に格納し、楽曲索引データベースを適時に更新する。
【００２２】
＝＝＝関連持ち歌楽曲検索機能＝＝＝
本実施例のカラオケ選曲システムは、カラオケ装置１における待ち行列の最後に登録されている楽曲（最終予約楽曲）と同じ属性情報を付帯する楽曲を関連楽曲として提示するとともに、この関連楽曲と、関連楽曲中で個人別曲目リストにある楽曲と一致する楽曲（関連持ち歌楽曲）とを識別可能にして多機能電話機にて一覧表示し、その一覧中から利用者が指定した楽曲を最新予約楽曲の次に演奏する楽曲として待ち行列の最後尾に登録する関連持ち歌楽曲検索機能を備えている。
【００２３】
図３は関連持ち歌楽曲検索機能の概略図であり、多機能電話機における画面遷移を（Ａ）〜（Ｄ）に示した。利用者が多機能電話機にてカラオケ連携プログラムを起動すると、トップ画面（Ａ）が表示される。この画面中の「関連楽曲」ボタンが指示されると、多機能電話機２０は、最終予約楽曲についての関連楽曲検索メニューの送付依頼（メニュー送付依頼）を短距離無線通信インタフェースを介してカラオケ装置１に向けて送達する。
【００２４】
カラオケ装置１では、中央制御部２がこのメニュー送付依頼を短距離無線通信ＩＦ１６を介して受け取り、待ち行列の最終に登録されている楽曲番号を楽曲索引データベースに照会し、その属性情報を取得する。そして、この楽曲に付帯する属性情報の項目に関する情報を多機能電話機２０に返送する。基本的には、歌手、年代、ジャンル、楽曲タイプ、歌詞対象、歌詞感情の各項目に関する情報を返送することとし、属性情報の項目として、ドラマの主題歌など、他の項目についての情報が含まれていれば、その項目の情報も返送する。そして、多機能電話機はこの返送されてきた項目を選択して指示できるようにして画面に一覧表示する（Ｂ）。
【００２５】
利用者が、例えば、最終予約楽曲と同じ歌手の楽曲を予約したいのであれば、「歌手」の項目を選択・指示する。多機能電話機はこの指示操作に応動して、選択された項目を特定するための情報をカラオケ装置に送信する。もちろん、複数の項目を指定できるようにして、指定された全ての項目の特定情報を送信するようにしてもよい。
【００２６】
中央制御部１１は、この特定された項目について、最終予約楽曲の属性情報を楽曲索引データベースに照会し、該当する関連楽曲のリストを多機能電話機に送付する。多機能電話機は、カラオケ装置より受け取った関連楽曲のリストと自身が記憶している個人別曲目リストとを比較し、一致した関連持ち歌楽曲を認知する。そして、関連楽曲と関連持ち歌楽曲とを識別できるようにして一覧表示する（Ｃ）。この例では、関連持ち歌楽曲の曲名欄に「●」印が付いている。利用者が提示された楽曲リストから１曲を指示すると、その楽曲を演奏予約するためのリモコン信号を発信して確認画面（Ｄ）を表示する。
【００２７】
なお多機能電話機が自身の個人別曲目リストをカラオケ装置に送付し、カラオケ装置側が関連持ち歌楽曲を特定して関連楽曲と関連持ち歌楽曲のリストを多機能電話機に送付し、多機能電話機がこのリストを表示する構成としてもよい。
【００２８】
＝＝＝複数の多機能電話機で運用する場合＝＝＝
複数の利用者がそれぞれ自身の多機能電話機を用いて関連持ち歌楽曲検索機能を利用する場合も考えられる。そして、ある電話機にて最終予約楽曲に関連する楽曲を選択する操作をしているとき、他の電話機によってその最終予約楽曲の関連楽曲が演奏予約されてしまう場合もある。このような場合に対しては、カラオケ装置が、ある多機能電話機からメニュー送付依頼を受け付けたならば、その電話機から関連楽曲を演奏予約するためのリモコン信号を受け付けるまで、他の多機能電話機からメニュー送付依頼を受け付けないようにすればよい。
【００２９】
＝＝＝多機能電話機を使用しないシステム＝＝＝
上記実施例のカラオケ選曲システムは、多機能電話機とカラオケ装置とによって構成されていた。この構成に代えて、カラオケ装置側にカラオケ選曲システムに係わる全ての機能を搭載する構成も考えられる。すなわち、個人別曲目リストの保存機能と、関連持ち歌楽曲検索機能を利用するためのユーザインタフェースを備えさせればよい。
【００３０】
具体的には、カラオケ装置は、利用者別に個人的曲目リストの保存領域をハードディスク装置などの適宜な記憶領域に確保し、各領域に利用者の識別子を対応付けして管理する。利用者識別子は利用者の名前でもあってもよいし、連番などでもよい。そして、所定の利用者入力に応動して最終予約楽曲の属性情報を項目別に選択可能にして提示するとともに、ある利用者が自身の利用者識別子と、ある項目を選択する旨を入力すると、その項目に関し最終予約楽曲の属性情報と同じ属性情報を楽曲索引データベースに照会して該当する関連楽曲を検索し、この関連楽曲と当該利用者の個人別曲目リストとを比較して、関連楽曲中で関連持ち歌楽曲を識別可能にして提示すればよい。そして、その提示された楽曲から１曲が利用者により指定されたならば、その楽曲を待ち行列に登録するようにすればよい。なお、利用者識別子の入力については、リモコン装置や操作パネルのテンキーなどを使って入力するようにしてもよいし、個人別曲目リストを登録している利用者を選択可能にして一覧表示してもよく、適宜なユーザインタフェースが採用できる。
【００３１】
＝＝＝楽曲索引データベースを他の機器に搭載するシステム＝＝＝
楽曲索引データベースの検索機能をカラオケ装置以外の機器に代替させてもよい。例えば、電子目次本にその機能を代替させる構成が考えられる。すなわち、多機能電話機と電子目次本とが通信するようなシステム構成とし、電子目次本は多機能電話機からの演奏予約信号を受け付けて、カラオケ装置へ転送する仲介装置として機能するように構成する。それによって電子目次本は、カラオケ装置に対する演奏予約信号の発信履歴を管理でき、少なくとも最後に発信した演奏予約信号について、その予約楽曲を認知していればカラオケ装置における最終予約楽曲を特定することができる。もちろん、電子目次本がカラオケ装置と通信して待ち行列に登録されている最終予約楽曲を認知するようにしてもよい。
【００３２】
多機能電話機は、電子目次本に対してメニュー送付依頼を送信し、電子目次本は、この依頼に応動して最終予約楽曲についての属性情報を自身の楽曲索引データベースより取得する。そして、その属性情報に関する項目を多機能電話機に送付する。多機能電話機はこの項目を一覧表示するとともに、特定の項目が指示されればその項目の特定情報を電子目次本に送信する。電子目次本は、この特定された項目について、最終予約楽曲の属性情報を楽曲索引データベースに照会し、該当する関連楽曲のリストを多機能電話機に送付する。多機能電話機は、電子目次本より受け取った関連楽曲のリストと自身が記憶している個人別曲目リストとを比較し、一致した関連持ち歌楽曲を認知する。そして、関連楽曲と関連持ち歌楽曲とを識別できるようにして一覧表示する。利用者が提示された楽曲リストから１曲を指示すると、その楽曲を演奏予約するためのリモコン信号が発信され、この信号が電子目次本を中継してカラオケ装置に転送される。
【００３３】
＝＝＝任意の予約楽曲に対する関連楽曲検索機能＝＝＝
カラオケ装置における演奏中の楽曲や待ち行列に登録されている任意の楽曲の次にその楽曲に関連した楽曲を演奏させることもできる。例えば、カラオケ装置における待ち行列に登録されている楽曲を多機能電話機に通知し、多機能電話機はその通知された楽曲から任意の楽曲を選択できるようにして提示する。利用者がある楽曲を選択したならば、その楽曲を特定するための情報を含んだメニュー検索依頼をカラオケ装置に送達すればよい。そして、最終的に関連楽曲や関連持ち歌楽曲のいずれかが利用者により指定されたならば、その指定楽曲を待ち行列から先に選択した楽曲の次に演奏する旨のコマンドを含んだリモコン信号をカラオケ装置に送信する。カラオケ装置は、このコマンドを受け付けたならば、待ち行列中で該当する順番にその楽曲の楽曲番号を登録する。
【００３４】
【発明の効果】
本発明によれば、カラオケ装置に演奏予約されているある楽曲に関連する楽曲を簡単に検索するとともに、その関連楽曲中で利用者が確実に歌える楽曲を提示することができる。それによって、利用者が歌える楽曲が相互に関連しあい、カラオケの場を盛り上げることが期待できる。
【図面の簡単な説明】
【図１】本発明の実施例に係るカラオケ選曲システムの機器構成図である。
【図２】上記カラオケ選曲システムを構成するカラオケ装置の機能ブロック図である。
【図３】上記カラオケ選曲システムにおける関連持ち歌楽曲検索機能のＧＵＩを示す概略図である。
【符号の説明】
１  カラオケ装置
２  中央制御部
３  ハードディスク装置
１６  短距離無線通信インタフェース
２０  多機能電話機
【図１】
2004233723.tif 000003
【図２】
2004233723.tif 000004
【図３】
2004233723.tif 000005